(57)【要約】【課題】視認性が良く、容易に取り付けが可能なケーブル識別タグを提供する。【解決手段】ケーブル１００を挿入する挿入溝２１に弾力性のあるハの字型突起２２を配置する。これにより、ハの字型突起２２が柔軟に広がったり、狭まったりしてケーブル１００の挟み込み幅が変化するので、断面寸法の異なるケーブル１００を把持、固定することができる。固定部２の、ケーブル識別タグ１を装着したケーブル１００の延長方向に表示部３を配置する。これにより、表示部３を大きくすることができ、視認性が向上する。【選択図】図１
2010093975.tif 000002
【特許請求の範囲】
【請求項１】
ケーブルを把持するための弾力性のある突起を配置した挿入溝を備えた固定部と、
前記固定部の前記ケーブルの延長方向側に配置された表示部と、
を有することを特徴とするケーブル識別タグ。
【請求項２】
前記固定部と前記表示部が一体成形されていることを特徴とする請求項１記載のケーブル識別タグ。
【請求項３】
前記突起は、ハの字型であることを特徴とする請求項１又は２記載のケーブル識別タグ。
【請求項４】
前記突起は、板を弧状に形成したものであることを特徴とする請求項１又は２記載のケーブル識別タグ。
【発明の詳細な説明】
【技術分野】
【０００１】
本発明は、ケーブルに装着してケーブルを識別するタグに関する。
【背景技術】
【０００２】
多数のケーブルが集積、密集するオフィスビルやマンションのキャビネット内では、効率的にケーブルを選定、識別するために、ケーブルそれぞれに何らかの識別具を取り付けている。
【０００３】
例えば、ケーブルに取り付ける識別具として、図８に示すような、ケーブルの情報を記載した荷札２００を紐２０１によりケーブル１００に取り付けるタイプの識別具や、図９に示すような、ケーブルの情報を記載したビニールテープ３００をケーブル１００に取り付けるタイプの識別具などがある。あるいは、図１０に示すように、ケーブルの情報を有する二次元コード４０１を備え、ケーブル１００をカッチリと挟み込んで固定する識別具４００や、特許文献１に記載のケーブル識別用タグなどが知られている。
【特許文献１】特開２００４−２９７８４８号公報
【発明の開示】
【発明が解決しようとする課題】
【０００４】
しかしながら、荷札２００を識別具として用いた場合は、荷札２００が回転、裏返るなどして情報を読み取る際の視認性が悪いという問題がある。また、紐２０１の結び目が緩んだりして、荷札２００をケーブル１００に確実に固定できず、荷札２００がずれたり、取れたりするという問題があり、取り付ける人によって固定具合に差異が生じるという問題もある。さらに、複数の荷札２００が近接して存在し、紐２０１同士が絡まった場合、作業時に絡まった紐２０１を解かねばならず、作業効率が悪くなるという問題がある。
【０００５】
ビニールテープ３００を識別具として用いた場合も、ビニールテープ３００に折れ曲がり、反り返りが発生して視認性が悪くなるという問題がある。また、ビニールテープ３００の粘着性が弱くなり、ビニールテープ３００がずれたり、取れたりするという問題がある。さらに、ビニールテープ３００は繰り返し着脱をすることができないという問題もある。
【０００６】
図１０に示す識別具４００は、ケーブル１００にしっかりと取り付けることができるが、ケーブルの情報を記載する部分が小さいため二次元コード４０１を用いて情報を記載している。そのため、識別具４００からケーブルの情報を得るためには、読み取り機などの装置が必要であり、作業効率が悪くなるという問題がある。また、識別具４００は、ケーブルをしっかりと挟み込んで固定するため、特定のケーブルサイズにしか適用することができない。
【０００７】
特許文献１の図１に記載のケーブル識別用タグは、ケーブルにスパイラル管を巻きつけて取り付けるため、作業効率が悪いという問題がある。また、特許文献１の図２〜４に記載のケーブル識別タグは、特定の太さのケーブルしか把持できず、適用制限が大きいという問題がある。ケーブルをしっかり把持できない場合は、ずれたり落ちたりし、安定した取り付けが困難である。さらに、ケーブルの情報を記載する部分が小さいため二次元コードを用いており、読み取り機などの装置が必要であるという問題がある。
【０００８】
本発明は、上記に鑑みてなされたものであり、その課題とするところは、視認性が良く、様々な断面サイズのケーブルに容易に取り付けが可能で、ケーブルを確実に把持、固定することができるケーブル識別タグを提供することにある。
【課題を解決するための手段】
【０００９】
本発明に係るケーブル識別タグは、ケーブルを把持するための弾力性のある突起を配置した挿入溝を備えた固定部と、固定部のケーブルの延長方向側に配置された表示部と、を有することを特徴とする。
【００１０】
上記ケーブル識別タグにおいて、固定部と表示部が一体成形されていることを特徴とする。
【００１１】
上記ケーブル識別タグにおいて、前記突起は、ハの字型であることを特徴とする。
【００１２】
上記ケーブル識別タグにおいて、前記突起は、板を弧状に形成したものであることを特徴とする。
【発明の効果】
【００１３】
本発明にあっては、ケーブルを把持する挿入溝に弾力性のある突起を配置することにより、その突起が柔軟に広がったり、狭まったりしてケーブルの挟み込み幅が変化するので、断面寸法の異なるケーブルを把持、固定できる。また、挿入溝にケーブルを差し込むだけでケーブル識別タグを簡単に取り付けることができる。さらに、ケーブルを軸にケーブル識別タグを回転することができるので、ケーブル識別タグを取り付けた後でも表示部を確認しやすい。
【００１４】
本発明にあっては、固定部のケーブルの延長方向側に表示部を配置することにより、他のケーブルや他のケーブル識別タグの邪魔になりにくく、大きな表示部を確保できるので、視認性が向上する。また、ケーブル識別タグをケーブルに取り付ける際にも表示部が邪魔にならない。
【００１５】
このように、本発明によれば、視認性が良く、様々な断面サイズのケーブルに容易に取り付けが可能で、ケーブルを確実に把持、固定することができるケーブル識別タグを提供することができる。
【発明を実施するための最良の形態】
【００１６】
以下、本発明の実施の形態について図面を用いて説明する。
【００１７】
図１は、本実施の形態におけるケーブル識別タグの構成を示す斜視図であり、図２は、ケーブル識別タグをケーブルに装着した様子を示す斜視図である。
【００１８】
図１，２に示すケーブル識別タグ１は、固定部２と表示部３とを備える。固定部２はプラスチックで形成され、ケーブル１００を挿入する挿入溝２１と係止部２３を備えた蓋２４を有する。挿入溝２１の内側の側面には、ケーブル１００を把持、固定するための弾力性のある２組のハの字型突起２２が互いに反対向きで配置される。ハの字型突起２２は薄いプラスチックの板で形成され、その先端部分は凸凹状の表面処理が施されている。ハの字型突起２２の先端の間隔はおよそ１．５ｍｍ程度であり、ハの字型突起２２によりおよそ１．５ｍｍ〜２．０ｍｍの太さのケーブル１００を把持することが可能である。
【００１９】
表示部３は、固定部２よりも幅が広く、固定部２からケーブル１００の延長方向に伸びたプラスチック製の平板である。図２に示すように、表示部３は、ケーブル１００の延長方向であって、蓋２４の片側に蓋２４と一体化して形成される。表示部２を薄い平板で構成することにより、表示部２が柔軟性を持ち、ケーブル識別タグ１を取り付けるときに邪魔にならない。表示部３には情報を記入するための紙３１が貼り付けられる。
【００２０】
ケーブル識別タグ１をケーブル１００に装着する際には、まず、ケーブル１００を挿入溝２１に挿入し、ケーブル１００をハの字型突起２２に把持させる。その後、蓋２４を閉じて係止部２３を固定する。
【００２１】
ケーブル識別タグ１は、ケーブル１００を弾力性のあるハの字型突起２２で把持して固定しているので、ケーブル識別タグ１が勝手に動くことはないが、固定部２をつまんでケーブル１００を軸に回転させ、ケーブル識別タグ１の向きを変えることができる。また、ケーブル１００の断面が丸形、長方形などどのような形状であってもケーブル識別タグ１を装着するができ、ケーブル１００の断面が長方形の場合であっても、短辺、長辺を気にすることなくケーブル識別タグ１を装着することができる。
【００２２】
ケーブル識別タグ１は、表示部３が固定部２の一方からケーブル１００の延長方向に伸びた片羽形状であることにより、表示部３が他のケーブル識別タグ１やケーブル１００の邪魔にならず、固定部２の蓋２４の開け閉めも容易である。さらに、図３に示すように、ケーブル１００のコネクタ１０１に近接して装着可能である。また、表示部３が固定部２とは別に形成されていることにより、固定部２の大きさに左右されることなく表示部３を大きくすることができ、ケーブル１００の情報を記入しやすくなる。
【００２３】
図４は、挿入溝２１に配置した突起の別の形状を示す平面図である。同図に示すように、２組のハの字型突起２２Ａを同じ向きで配置してもよい。この場合、ハの字型突起２２を反対向きで配置したものと比べて、ケーブル識別タグ１をケーブルの延長方向の一方に容易に動かすことができる。図１，図４では、２組のハの字型突起を配置した例を示したが、これに限るものではなく、１組、あるいは３組以上のハの字型突起を配置するものでもよい。
【００２４】
図５は、挿入溝２１に配置した突起のさらに別の形状を示す平面図である。同図に示すように、弾力性のある薄いプラスチック製の板を弧状に形成した突起２２Ｂを配置してもよい。この場合もハの字型突起２２，２２Ａと同様に、突起２２Ｂが柔軟に変化することにより、断面寸法の異なるケーブル１００を把持、固定することが可能となる。
【００２５】
図６は、本実施の形態における別のケーブル識別タグの構成を示す斜視図であり、図７は、図６のケーブル識別タグをケーブルに装着した様子を示す斜視図である。図１で示したケーブル識別タグ１とは、表示部３が着脱できる点で異なっている。
【００２６】
図６，７に示すケーブル識別タグ４は、固定部２と表示部５を備える。固定部２は、ケーブル１００を挿入する挿入溝２１、蓋２４を有し、蓋２４は係止部２３と表示部５を接続するための接続部２５を備える。挿入溝２１の内側の側面には、図１のケーブル識別タグ１と同様に、ケーブル１００を把持、固定するための弾力性のある２組のハの字型突起２２が互いに反対向きで配置される。表示部５は、固定部２よりも幅が広い紙であり、蓋２４の接続部２５に着脱できる。
【００２７】
したがって、本実施の形態によれば、ケーブル１００を挿入する挿入溝２１に弾力性のあるハの字型突起２２を配置することにより、ハの字型突起２２が柔軟に動き（広がる・狭まる）、ケーブル１００の挟み込み幅が変化するので、断面寸法の異なるケーブル１００を把持、固定することができる。２組のハの字型突起２２を互いに反対向きで配置することにより、ケーブル１００に装着したケーブル識別タグ１は、ケーブル１００の延長方向に動き難くなる。２組のハの字型突起２２Ａを同じ向きで配置した場合は、一方の方向に動き易くなる。
【００２８】
本実施の形態によれば、弾力性のあるハの字型突起２２でケーブル１００を把持することにより、ケーブル識別タグ１をケーブル１００に装着した後でも、ケーブル１００を軸にケーブル識別タグ１を回転させ、向きを変えることができる。
【００２９】
本実施の形態によれば、固定部２の、ケーブル識別タグ１を装着したケーブル１００の延長方向に表示部３を配置することにより、表示部３を大きくすることができる。ケーブル１００の延長方向に表示部３を大きくすることで、他のケーブル識別タグ１や他のケーブル１００の邪魔になりにくい。
【００３０】
本実施の形態によれば、表示部３が固定部２の一方だけに存在する片羽形状であるので、表示部３が邪魔にならず固定部２にアクセスしやすく、容易に着脱が可能である。また、表示部３が邪魔にならないので、ケーブル識別タグ１をコネクタ１０１に近接して装着可能である。
【００３１】
本実施の形態によれば、表示部３が固定部２と一体成形されたプラスチック製であるので、ケーブル１００にケーブル識別タグ１を取り付けた後でも、容易に文字などの情報を記入することができる。
【図面の簡単な説明】
【００３２】
【図１】一実施の形態におけるケーブル識別タグの構成を示す斜視図である。
【図２】上記ケーブル識別タグをケーブルに装着した様子を示す斜視図である。
【図３】上記ケーブル識別タグをケーブルに装着した別の様子を示す斜視図である。
【図４】上記ケーブル識別タグの別の突起の形状を示す平面図である。
【図５】上記ケーブル識別タグのさらに別の突起の形状を示す平面図である。
【図６】一実施の形態における別のケーブル識別タグの構成を示す斜視図である。
【図７】図６のケーブル識別タグをケーブルに装着した様子を示す斜視図である。
【図８】従来のケーブルを識別するための荷札を示す模式図である。
【図９】従来のケーブルを識別するためのビニールテープを示す模式図である。
【図１０】従来のケーブルを識別するための識別具を示す模式図である。
【符号の説明】
【００３３】
１…ケーブル識別タグ
２…固定部
３，５…表示部
４…ケーブル識別タグ
２１…挿入溝
２２，２２Ａ，２２Ｂ…突起
２３…係止部
２４…蓋
２５…接続部
３１…紙
１００…ケーブル
１０１…コネクタ
２００…荷札
２０１…紐
３００…ビニールテープ
４００…識別具
４０１…二次元コード
【図１】
2010093975.tif 000003
【図２】
2010093975.tif 000004
【図３】
2010093975.tif 000005
【図４】
2010093975.tif 000006
【図５】
2010093975.tif 000007
【図６】
2010093975.tif 000008
【図７】
2010093975.tif 000009
【図８】
2010093975.tif 000010
【図９】
2010093975.tif 000011
【図１０】
2010093975.tif 000012